(57)【要約】【課題】容器の取り出し口とそれを開閉する開閉機構の関係を誤って認識されることのないように、取り出し口と開閉機構が容器の同じ側に位置し、容器の取り出し口の開閉を一操作で行うことができる包装容器を提供する。【解決手段】包装容器は、壁部に取り出し口を有する容器本体及びこの容器本体の取り出し口を開閉するための開閉機構とからなる。前記開閉機構は、容器本体の取り出し口を閉鎖する閉鎖板と、この閉鎖板の左右に連設された一対の傾倒部と、両傾倒部の間に位置し、ヒンジ部を介して連設された容器本体への固定部と、前記一対の傾倒部にそれぞれヒンジ部を介して連設された一対の帯状部と、両帯状部に連設された滑動板と、この滑動板を容器本体に滑動可能に取り付ける手段を備え、容器本体は傾倒部の下方への回動を許す一対の凹陥部を備える。【選択図】      図４
2006256645.tif 000002
【特許請求の範囲】
【請求項１】
取り出し口を有する容器本体及びこの容器本体の取り出し口を開閉するための開閉機構とからなる包装容器において、前記開閉機構は、容器本体の取り出し口を閉鎖する閉鎖板と、この閉鎖板の左右に連設された一対の傾倒部と、両傾倒部の間に位置し、ヒンジ部を介して連設された容器本体への固定部と、前記一対の傾倒部にそれぞれヒンジ部を介して連設された一対の帯状部と、両帯状部に連設された滑動板と、この滑動板を容器本体に滑動可能に取り付ける手段を備え、容器本体は傾倒部の下方への回動を許す凹陥部を備えることを特徴とする包装容器。
【請求項２】
滑動板を容器本体に滑動可能に取り付けられる手段は、滑動板の裏面に形成されたピンと、このピンに対応して容器本体の壁部に形成されたスリットからなり、ピンはスリット内に移動可能に嵌め込まれていることを特徴とする請求項１に記載の包装容器。
【請求項３】
滑動板を容器本体に滑動可能に取り付ける手段は、滑動板の少なくとも片側に形成された爪と、この爪に対応して容器本体の壁部に形成されたスリットからなり、爪はスリット内に移動可能に嵌め込まれていることを特徴とする請求項１に記載の包装容器。
【請求項４】
閉鎖板には取り出し口に密嵌合することが可能な環状突起部が設けられていることを特徴とする請求項１乃至３の何れか一項に記載の包装容器。
【請求項５】
容器本体の壁部は開閉機構を納めるのに十分な深さの凹陥部を有し、この凹陥部内に開閉機構が納められていることを特徴とする請求項１乃至４の何れか一項に記載の包装容器。
【請求項６】
容器本体は、底部材と蓋部材とからなり、底部材は蓋部材に嵌合されてなるカード状ケースであることを特徴とする請求項１乃至５の何れか一項に記載の包装容器。
【請求項７】
底部材の内部に包装内容物を蓋部材の取り出し口に対応する領域に誘導するための誘導壁が備えられていることを特徴とする請求項１乃至６の何れか一項に記載の包装容器。
【発明の詳細な説明】
【技術分野】
【０００１】
本発明は、錠剤、顆粒等の内容物の包装容器に関する。
【背景技術】
【０００２】
図１に背面側から見た斜視図を示し、図２に正面側から見た斜視図を示すような容器の蓋の開放機構が知られている（特許文献１参照）。この蓋の開放機構は、容器本体１１に対してヒンジ部４を介して連接された蓋体１２を開閉するための蓋の開放機構である。２本の切込み長孔１８が、それぞれ容器本体１１の背面側の任意の位置から、ヒンジ部４に達するまで切り込まれている。この２本の切込み長孔１８、１８は、両切込み長孔１８、１８間の領域を指で押圧可能な間隔をおいて設けられ、両切込み長孔１８、１８間に折り曲げ溝７を有する押圧操作部５が形成されている。この押圧操作部５を容器本体１１の背面側から指で押圧することにより、押圧操作部５からヒンジ部４を介して蓋体１２に伝わった押圧力により、蓋体１２が押圧力の作用方向に若干撓み移動し、その状態で押圧操作部５が容器本体の内側へ向けて撓み変形することにより、蓋体１２が容器本体１１の側に引っ張られ、押圧操作部５の容器本体１１の背面部への連接部とヒンジ４の間の間隔が短縮される一方、他方では容器本体１１の背面部の押圧操作部５の左右の隣接部分が原型を保持しようとすることによって、蓋体１２はヒンジ部４を回動中心部として強制的に開放される。
【特許文献１】特許第３１３７１２３号公報
【発明の開示】
【発明が解決しようとする課題】
【０００３】
この特許文献１に記載の技術を利用してなる錠剤、顆粒等の内容物の包装容器においては、容器本体１１の背面部を押して開口するので、利用者は容器本体１１の前後の関係を忘れて、容器を傾けて持った状態で押圧操作部５を押し、押圧操作部５の後ろ側に向けて開口した開口部から内容物をこぼしてしまうことがある。また、押圧操作部５を指で押すとき、図３に示すように、うっかり押圧操作部５と蓋体１２を把持してしまうことがあり、その場合、蓋体１２は開かない。また、ワンタッチオープン故に、かばん等の中に入れて携帯した状態で、押圧操作部５がそれに接触した他の物に押圧されて不用意に開き内容物が飛び出してしまうことがある。特に蓋体１２の真下の容器本体１１の領域を押すと容器本体１１がゆがみ、そのために蓋体１２が開き密閉性に欠ける。
本発明の目的は、容器の取り出し口とそれを開閉する開閉機構の関係を誤って認識されることのないように、取り出し口と開閉機構が容器の同じ側に位置し、容器の取り出し口の開閉を一操作で行うことができる包装容器を提供することである。
【課題を解決するための手段】
【０００４】
請求項１に記載の発明は、上記の課題を解決するもので、取り出し口を有する容器本体及びこの容器本体の取り出し口を開閉するための開閉機構とからなる包装容器において、前記開閉機構は、容器本体の取り出し口を閉鎖する閉鎖板と、この閉鎖板の左右に連設された一対の傾倒部と、両傾倒部の間に位置し、ヒンジ部を介して連設された容器本体への固定部と、前記一対の傾倒部にそれぞれヒンジ部を介して連設された一対の帯状部と、両帯状部に連設された滑動板と、この滑動板を容器本体に滑動可能に取り付ける手段を備え、容器本体は傾倒部の回動を許す凹陥部を備えることを特徴とする包装容器を要旨とするものである。
【０００５】
この発明によれば、滑動板を後方へスライドさせることにより、取り出し口を塞ぐ閉鎖板を、傾倒部と共に閉鎖板を取り出し口が露出するまで傾倒させることにより、取り出し口を開放することができ、また内容物の取り出し後に、滑動板を前方へ戻すことにより閉鎖板を取り出し口の上に位置させて取り出し口を塞ぐことができる包装容器を提供することができる。この容器においては、取り出し口と開閉操作部が容器の同じ側に位置するので、内容物をこぼすことなく確実に取り出すことができる。また、滑動板をスライドさせて開封させる方式のものであるので、かばん等の中に入れて携帯した状態で、従来のように、開閉機構がそれに接触した他の物に押圧されて不用意に容器から内容物が飛び出してしまうことがない。
【０００６】
また、本発明において、滑動板を容器本体に滑動可能に取り付ける手段として、滑動板の裏面に形成されたピンと、このピンに対応して容器本体の壁部に形成されたスリットからなるものを用いることができる。この場合、ピンをスリット内で移動させることにより滑動板を前後に滑動させることができる。
【０００７】
本発明において、滑動板を容器本体に滑動可能に取り付ける手段として、滑動板の少なくとも片側に形成された爪と、この爪に対応して容器本体の壁部に形成されたスリットからなるものを用いることができる。この場合、爪をスリット内で移動させることにより滑動板を前後に前後に移動させることができる。
【０００８】
本発明においては取り出し口は円形、楕円形、卵形等の任意の形状に形成しうることは言うまでもないことである。また内容物が顆粒状物である場合には、取り出し口を多数の小穴群で形成してもよい。
【０００９】
傾倒板の背面側には、取り出し口に密嵌合することが可能な、所謂パッキングのはたらきをする環状突起部が設けることが望ましく、この環状突起部によって取り出し口を気密に塞ぐことができる。
【００１０】
また、本発明において、容器本体の壁部を開閉機構を納めるのに十分な深さの凹陥部を有する形状にし、凹陥部内に開閉機構を配置することが望ましい。このように構成することにより、開封機構がその周囲の壁部に対して突出することがなく、滑動板が凹陥部内に納められているので、滑動板が不用意にスライドして取り出し口が開放されてしまうことがない。
【００１１】
本発明において、容器本体として、底部材と蓋部材とからなり、底部材は蓋部材に嵌合されてなるカード状ケースを用いることができる。このカード状ケースにおいては底部材に例えば顆粒状内容物を入れ蓋部材と合わせることにより錠剤、顆粒等の内容物の包装容器を形成することができる。
【００１２】
本発明において、底部材と蓋部材からなるカード状の容器において、底部材の内部に包装内容物を蓋部材の取り出し口に対応する領域に誘導するための誘導壁が備えられていることが望ましい。誘導壁が存在することにより、容器内の錠剤、顆粒等の包装内容物を全て容器から取り出すことができる。
【発明の効果】
【００１３】
本発明の包装容器は、前記したように、取り出し口を有する容器本体及びこの容器本体の取り出し口を開閉するための開閉機構とからなる包装容器において、前記開閉機構は、容器本体の取り出し口を閉鎖する閉鎖板と、この閉鎖板の左右に連設された一対の傾倒部と、両傾倒部の間に位置し、ヒンジ部を介して連設された容器本体への固定部と、前記一対の傾倒部にそれぞれヒンジ部を介して連設された一対の帯状部と、両帯状部に連設された滑動板と、この滑動板を容器本体に滑動可能に取り付ける手段を備え、容器本体は傾倒部の回動を許す凹陥部を備える包装容器であるので、滑動板を後方へスライドさせることにより、傾倒板を閉鎖板と共に、取り出し口が露出するまで傾倒させることにより、取り出し口を開放することができ、また内容物の取り出し後に、滑動板を前方へ戻すことにより閉鎖板を取り出し口の上に位置させて取り出し口を塞ぐことができる包装容器を提供することができる。この容器においては、取り出し口と開閉操作部が容器の同じ側に位置するので、内容物をこぼすことなく確実に取り出すことができる。また、滑動板をスライドさせて開封する方式のものであるので、かばん等の中に入れて携帯した状態で、従来のように、開閉機構がそれに接触した他の物に押圧されて不用意に容器から内容物が飛び出してしまうことがない。
【発明を実施するための最良の形態】
【００１４】
図４乃至図７を用いて、発明を実施するための最良の形態を説明する。
【００１５】
図４は本発明の包装容器の分解斜視図である。図５は本発明の包装容器の斜視図である。図６は本発明を構成する開閉機構の正面図、図７は本発明を構成する開閉機構の背面図である。本発明の包装容器は、取り出し口２２を有する容器本体２１及びこの容器本体２１の取り出し口２２を開閉するための開閉機構２６とからなる。開閉機構２６は、容器本体２１の取り出し口２２を閉鎖する閉鎖板２７と、この閉鎖板２７の左右に連設された一対の傾倒部２８と、両傾倒部２８の間に位置し、ヒンジ部２９を介して連設された容器本体２１への固定部３０と、前記一対の傾倒部２８にそれぞれヒンジ部３１を介して連設された一対の帯状部３２と、両帯状部３２に連設された滑動板３３と、この滑動板３３を容器本体２１に滑動可能に取り付ける手段を備える。尚、前記手段は滑動板３３に取り付けられた割りピン３６と割りピン３６に対応して容器本体２１に設けられたスリット２５からなる。また、容器本体２１は傾倒部２８の下方への回動を許す一対の凹陥部２３を備える。尚、固定部３０は容器本体２１に接着剤を用いて固定しても良い。
【００１６】
本発明の包装容器においては、図４乃至７に示すように、閉鎖板２７に容器本体２１の取り出し口２２に密嵌合する所謂パッキングの役目をする環状突起部３４を設けるのが望ましい。
【００１７】
また、本発明の包装容器においては、取り出し口２２は円形のものに限定されることなく、例えば卵形、楕円形等の形状のものであってもよい。また内容物が顆粒状物である場合には、取り出し口を多数の小穴群で形成してもよい。
【００１８】
図４乃至図７に示す包装容器においては、容器本体２１は、底部材２１ｂと蓋部材２１ｂからなる。底部材２１ｂに錠剤、顆粒等の包装内容物を収容し、図１３に示す底部材２１ｂのボス４３に図１２に示す蓋部材２１ａのピン４２を係合させ、且つ図１２に示す蓋部材２１ａの周囲端部に設けられた段下げ部４０を図１３に示す底部材２１ｂの周囲端部に設けられた段上げ部４１を係合させて底部材２１ｂに蓋部材２１ａを嵌合させて一体化した容器本体２１の固定部支持部２４に固定部３０が固定ピン３５で固定され、滑動板３３がその割りピン３６を容器本体２１のスリット２５に嵌め込まれることによって、容器本体２１に滑動可能に取り付けられている。
【００１９】
尚、図１４に示すように、底部材の２１ｂの内部に、包装内容物を蓋部材の２１ａの取り出し口２２に対応する領域に誘導するための誘導壁４４を備えることが望ましい。誘導壁４４が存在することにより、容器内の錠剤、顆粒等の包装内容物を全て容器から取り出すことができる。
【００２０】
図８及び図９は、本発明の包装容器の取り出し口を開放する過程を示す斜視図である。先ず、図８に示す方向Ａに滑動板３０ををスライドさせて、一対の帯状部２８が斜めに立ち上がり、それと共に閉鎖板２７が斜めに立ち上がる。
【００２１】
更に滑動板３３をスライドさせると、図９に示すように、傾倒板２８は閉鎖板２７と共に９０°に起立し、帯状部２８、２８の間の領域を通して容器本体２１の取り出し口２２が露出せしめられる。更に滑動板３３をスライドさせて、閉鎖板２７を外側に１８０°近く倒すことができる。そして露出した取り出し口２２から錠剤、顆粒等の包装内容物を取り出すことができる。
【００２２】
内容物を取りだした後は、滑動板３３を逆方向にスライドさせることにより、図５に示すように取り出し口２２の上に閉鎖板２７を配置して閉鎖状態にすることができる。
【００２３】
図４乃至図７に示す本発明の包装容器の実施の形態においては、固定板３０と帯状部３２は同じ高さ位置に設けられている。そのため傾倒板２８を下方に回動させると帯状部３２は下方へ撓む。この撓みの度合いを少なくするために、図１１に示すように、固定部３０を取り付ける固定部支持部２４の高さを高くして、固定部３０が帯状部３２よりも高い位置に位置するようにしても良い。
【００２４】
次に図１５を用いて、本発明の更に別の実施の形態を説明する。図１５に示す実施の形態においては、滑動板３３を容器本体２１に滑動可能に取り付ける手段として、滑動板３３の両側に設けられた爪３７と、爪３７に対応して容器本体２１に形成されたスリット３８からなるものを用いることができる。爪３７をスリット３８内で移動させることにより滑動板３３を前後に滑動させることができる。
【００２５】
また、図１６に示す本発明の実施の形態は、容器本体２１の壁部を閉鎖機構２６部を納めるのに十分な深さの凹陥部３９を有する形状にし、凹陥部３９内に開閉機構２６を配置したものである。この構成のものにおいては、開封機構２２がその周囲の壁部に対して突出することがなく、滑動板３０が不用意にスライドして取り出し口２４が開放されてしまうことがない。
【００２６】
図１５及び図１６の実施の形態において、図１４に示すように容器本体の底部材の内部に誘導壁３９を備えることが望ましいことはいうまでもないことである。
【００２７】
図１７は本発明の更に別の実施の形態を示す。図１７に示す本発明の実施の形態は、図４に示す実施の形態における固定部支持部２４を無くして左右の凹陥部２３がつながっている一つの凹陥部４５とし、一方固定部３０を、その底面が凹陥部４５の底面に到達するように厚く形成したものである。固定部３０は、凹陥部の底面に固定される。
【００２８】
図１８は更に別の本発明の実施の形態を示す。図１８に示す本発明の実施の形態は、開閉機構２６を容器本体２１の短辺に対して直角に配置したものである。
【００２９】
また、図４乃至図７、図１５、図１６、図１７、図１８に示す本発明の実施の形態はカード状の容器本体の壁部に開閉機構を連設したものであるが、本発明の包装容器には、これに限定されることなく、例えば角筒形の容器本体の側壁に開閉機構を設けた態様のものも含まれることは言うまでもない。
【００３０】
本発明の包装容器を構成する容器本体及び開閉機構は、ポリプロピレン、ナイロン、アクリル樹脂等の樹脂を用いて射出成形により形成することができる。
【００３１】
前記したように、本発明の包装容器は、取り出し口２２を有する容器本体２１及びこの容器本体２１の取り出し口２２を開閉するための開閉機構２６とからなり、開閉機構２６は、容器本体２１の取り出し口２２を閉鎖する閉鎖板２７と、この閉鎖板２７の左右に連設された一対の傾倒部２８と、両傾倒部２８の間に位置し、ヒンジ部２９を介して連設された容器本体２１への固定部３０と、前記一対の傾倒部２８にそれぞれヒンジ部３１を介して連設された一対の帯状部３２と、両帯状部３２に連設された滑動板３３と、この滑動板３３を容器本体２１に滑動可能に取り付ける手段を備え、容器本体２１は傾倒部２８の下方への回動を許す一対の凹陥部２３を備える包装容器であるので、滑動板３０を後方へスライドさせることにより、一対の帯状部２８を後方へ引っ張り、傾倒板２６を閉鎖板２９と共に起こし、取り出し口２４が露出するまで傾倒させることにより、取り出し口２４を開放することができ、また内容物の取り出し後に、滑動板３０を前方へ戻すことにより閉鎖板２９を取り出し口２４の上に位置させて取り出し口２４を塞ぐことができる包装容器を提供することができる。この容器においては、取り出し口２４と開閉機構２２が容器の同じ側に位置するので、内容物をこぼすことなく確実に取り出すことができる。また、滑動板３０をスライドさせて取り出し口２４を開封する方式のものであるので、かばん等の中に入れて携帯した状態で、従来のように開閉機構がそれに接触した他の物に押圧されて不用意に容器から内容物が飛び出してしまうことがない。
【産業上の利用可能性】
【００３２】
本発明の包装容器は、錠剤、顆粒等の包装容器として用いることができる。
【図面の簡単な説明】
【００３３】
【図１】特許文献１に記載の蓋の開放機構を有する容器の背面斜視図である。
【図２】特許文献１に記載の蓋の開放機構を有する容器の蓋を開いた状態を示す正面斜視図である。
【図３】図１に示す容器の開閉時における押圧操作部の誤った押圧の仕方を示す斜視図である。
【図４】本発明の包装容器の分解斜視図である。
【図５】本発明の包装容器の斜視図である。
【図６】本発明の包装容器を構成する開閉機構の正面図である。
【図７】本発明の包装容器を構成する開閉機構の背面図である。
【図８】本発明の包装容器の滑動板を後方へスライドさせ帯状部を引張り、傾倒板及び閉鎖板をやや起こした状態を示す斜視図である。
【図９】本発明の包装容器の傾倒板及び閉鎖板を傾倒させ、取り出し口を露出した状態を示す斜視図である。
【図１０】固定部を帯状部と同一高さを位置させた場合、閉鎖板を傾斜させるとき、帯状部が撓む状態を示す説明図である。
【図１１】固定部を帯状部よりも高い位置に位置させた場合、閉鎖板を傾斜させるとき、帯状部の撓みが少ないことを示す説明図である。
【図１２】本発明の包装容器の実施の形態における容器本体の蓋部材のピン部を示す拡大断面図である。
【図１３】本発明の包装容器の実施の形態における容器本体の底部材のボス部を示す拡大断面図である。
【図１４】底部材と蓋部材からなる容器本体の、内部に誘導壁を備える底部材の斜視図である。
【図１５】本発明の包装容器の別の実施の形態の斜視図である。
【図１６】本発明の包装容器の更に別の実施の形態の斜視図である。
【図１７】本発明の包装容器の更に別の実施の形態の斜視図である。
【図１８】本発明の包装容器の更に別の実施の形態の平面図である。
【符号の説明】
【００３４】
２１ａ        蓋部材
２１ｂ        底部材
２１          容器本体
２２          取り出し口
２３          凹陥部
２４          固定部支持部
２５          スリット
２６          開閉機構
２７          閉鎖板
２８          傾倒部
２９          ヒンジ部
３０          固定部
３１          ヒンジ部
３２          帯状部
３３          滑動部
３４          環状突起部
３５          固定ピン
３６          割りピン
３３          ピン
３４          ボス
３５          段下げ部
３６          段上げ部
３７          環状突起部
３８          スリット
３９          凹陥部
４０          段下げ部
４１          段上げ部
４２          ピン
４３          ボス
４４          誘導壁
４５          凹陥部
Ａ            矢印
【図１】
2006256645.tif 000003
【図２】
2006256645.tif 000004
【図３】
2006256645.tif 000005
【図４】
2006256645.tif 000006
【図５】
2006256645.tif 000007
【図６】
2006256645.tif 000008
【図７】
2006256645.tif 000009
【図８】
2006256645.tif 000010
【図９】
2006256645.tif 000011
【図１０】
2006256645.tif 000012
【図１１】
2006256645.tif 000013
【図１２】
2006256645.tif 000014
【図１３】
2006256645.tif 000015
【図１４】
2006256645.tif 000016
【図１５】
2006256645.tif 000017
【図１６】
2006256645.tif 000018
【図１７】
2006256645.tif 000019
【図１８】
2006256645.tif 000020